(57)【特許請求の範囲】
【請求項１】
ＬＥＤ素子の発光により照明光を出射して照明を行う照明装置において、照明光のスペクトルの４００ｎｍから８００ｎｍの面積に対して、６００ｎｍから７００ｎｍの面積が４２％以上５７％以下、５００ｎｍから６００ｎｍの面積が１８％以上２９％以下、４００ｎｍから５００ｎｍの面積が７％以下であり、
照明光のスペクトルが６００ｎｍから７００ｎｍの間に最大値を有し、該最大値に対して５００ｎｍから６００ｎｍのスペクトルの最大値が５０％以下であることを特徴とする照明装置。
【請求項２】
ＬＥＤ素子の発光により照明光を出射して照明を行う照明装置において、照明光のスペクトルの４００ｎｍから８００ｎｍの面積に対して、６００ｎｍから７００ｎｍの面積が３１％以上４２％以下、５００ｎｍから６００ｎｍの面積が１８％以上４４％以下、４００ｎｍから５００ｎｍの面積が１９％以下であり、
照明光のスペクトルが６００ｎｍから７００ｎｍの間に最大値を有し、該最大値に対して５００ｎｍから６００ｎｍのスペクトルの最大値が６６％以下であることを特徴とする照明装置。
【請求項３】
スペクトルの異なる複数の照明光を選択して出射できることを特徴とする請求項１または請求項２に記載の照明装置。
【請求項４】
前記ＬＥＤ素子を複数有し、各前記ＬＥＤ素子が異なる色で発光することを特徴とする請求項１〜請求項３のいずれかに記載の照明装置。
【請求項５】
電球色を発光する前記ＬＥＤ素子と、赤色を発光する前記ＬＥＤ素子と、白色を発光する前記ＬＥＤ素子とを備えたことを特徴とする請求項４に記載の照明装置。
【請求項６】
前記ＬＥＤ素子の出射光を異なる波長に変換する蛍光体を備えたことを特徴とする請求項１〜請求項３のいずれかに記載の照明装置。
【請求項７】
青色を発光する前記ＬＥＤ素子と、青色光を電球色の光に変換する前記蛍光体と、青色光を赤色光に変換する前記蛍光体と、青色光を黄色光に変換する前記蛍光体とを備えたことを特徴とする請求項６に記載の照明装置。
【発明の詳細な説明】
【技術分野】
【０００１】
本発明は居室内の照明に用いられる照明装置に関する。
【背景技術】
【０００２】
従来の照明装置は特許文献１、２に開示されている。特許文献１の照明装置は浴槽内の水中を予め設定された変化パターンで光色を変化させて照明する。これにより、入浴時のリラックス感を高めることができる。
【０００３】
また、特許文献２の照明装置は太陽光の光量に応じて照度を変化させて照明する。これにより、生体リズムの調整ができるとともに、覚醒度の維持をし易くできる。
【先行技術文献】
【特許文献】
【０００４】
【特許文献１】特開２００８−５３１８３号公報
【特許文献２】特開平０９−３０６６７２号公報
【発明の概要】
【発明が解決しようとする課題】
【０００５】
近年、様々なストレスを抱える多くの人々に対して、リラックス感や快適感をより向上することが求められる。また、上記従来の照明装置ではユーザが所定の作業を行った際に疲労度を低減することができず、疲労度が大きい問題があった。
【０００６】
本発明は、快適感を向上して作業時の疲労度を低減できる照明装置を提供することを目的とする。
【課題を解決するための手段】
【０００７】
上記目的を達成するために本発明は、ＬＥＤ素子の発光により照明光を出射して照明を行う照明装置において、照明光のスペクトルの４００ｎｍから８００ｎｍの面積に対して、６００ｎｍから７００ｎｍの面積が３０％以上７０％以下であるとともに、４００ｎｍから５００ｎｍの面積が２０％以下であり、照明光のスペクトルが６００ｎｍから７００ｎｍの間に最大値を有し、該最大値に対して５００ｎｍから６００ｎｍのスペクトルの最大値が７０％以下であることを特徴としている。
【０００８】
この構成によると、ＬＥＤ素子の発光によって上記のスペクトルを有した照明光を出射して照明が行われる。これにより、休憩時や団欒時にユーザの快適感やリラックス感を向上するとともに、ユーザの業務や家事等の作業時の疲労感を低減する。
【０００９】
また本発明は、上記構成の照明装置において、照明光のスペクトルの４００ｎｍから８００ｎｍの面積に対して、５００ｎｍから６００ｎｍの面積が１５％以上４５％以下であることを特徴としている。
【００１０】
また本発明は、上記構成の照明装置において、スペクトルの異なる複数の照明光を選択して出射できることを特徴としている。
【００１１】
また本発明は、上記構成の照明装置において、前記ＬＥＤ素子を複数有し、各前記ＬＥＤ素子が異なる色で発光することを特徴としている。この構成によると、複数のＬＥＤ素子が異なる色で発光して混色し、所定のスペクトルの照明光が出射される。
【００１２】
また本発明は、上記構成の照明装置において、電球色を発光する前記ＬＥＤ素子と、赤色を発光する前記ＬＥＤ素子と、白色を発光する前記ＬＥＤ素子とを備えたことを特徴としている。この構成によると、複数のＬＥＤ素子から出射される電球色と赤色と白色とを混色して所定のスペクトルの照明光が出射される。
【００１３】
また本発明は、上記構成の照明装置において、前記ＬＥＤ素子の出射光を異なる波長に変換する蛍光体を備えたことを特徴としている。この構成によると、ＬＥＤ素子の出射光と蛍光体による蛍光とが混色され、所定のスペクトルの照明光が出射される。
【００１４】
また本発明は、上記構成の照明装置において、青色を発光する前記ＬＥＤ素子と、青色光を電球色の光に変換する前記蛍光体と、青色光を赤色光に変換する前記蛍光体と、青色光を黄色光に変換する前記蛍光体とを備えたことを特徴としている。
【００１５】
この構成によると、ＬＥＤ素子の出射光と蛍光体による黄色の蛍光とが混色して白色光が形成される。該白色光と蛍光体による赤色の蛍光と蛍光体による電球色の蛍光とが混色して所定のスペクトルの照明光が出射される。
【発明の効果】
【００１６】
本発明によると、スペクトルの４００ｎｍから８００ｎｍの面積に対して、６００ｎｍから７００ｎｍの面積が３０％以上７０％以下であるとともに、４００ｎｍから５００ｎｍの面積が２０％以下であり、照明光のスペクトルが６００ｎｍから７００ｎｍの間に最大値を有し、該最大値に対して５００ｎｍから６００ｎｍのスペクトルの最大値が７０％以下の照明光を出射する照明をＬＥＤ素子の発光によって行う。
【００１７】
このため、休憩時や団欒時にユーザの快適感やリラックス感を向上することができる。また、ユーザの作業時の疲労感を低減することができる。加えて、ＬＥＤ素子の発光により照明光を出射するため、人体に対して化学的な悪影響を与える紫外線や熱的な悪影響を与える赤外線を含まずに照明を行うことができる。
【図面の簡単な説明】
【００１８】
【図１】本発明の実施形態の照明装置を示す斜視図
【図２】本発明の実施形態の照明装置の光源基板を示す平面図
【図３】本発明の実施形態の照明装置の構成を示すブロック図
【図４】本発明の実施形態の照明装置のＬＥＤ素子発光機構の構成を示す説明図
【図５】本発明の第１実施例の照明装置の照明光のスペクトルを示す図
【図６】本発明の第２実施例の照明装置の照明光のスペクトルを示す図
【図７】本発明の第３実施例の照明装置の照明光のスペクトルを示す図
【図８】本発明の第４実施例の照明装置の照明光のスペクトルを示す図
【発明を実施するための形態】
【００１９】
以下、本発明の実施形態を図面を参照して説明する。図１は一実施形態の照明装置を下方から見た全体斜視図である。照明装置１００は照明器具であるシーリングライトを構成し、室内の天井面に取り付けられる。照明装置１００が室内の側壁に取り付けられる照明器具であってもよい。
【００２０】
照明装置１００は上方に位置する室内天井面に固定される円形をなす略板状の本体１を備え、下方の室内床面を照明する。本体１は光源基板２と、反射板３と、フレーム４と、照明制御部５とを備えている。
【００２１】
光源基板２は平面視矩形に形成され、本体１に対して垂直または略垂直に起立した状態でフレーム４を介して本体１の下面に取り付けられている。光源基板２の表面には複数の白色ＬＥＤ素子６ａ、電球色ＬＥＤ素子６ｂ及び赤色ＬＥＤ素子６ｃ（図２参照）が設けられている。以下の説明において、白色ＬＥＤ素子６ａ、電球色ＬＥＤ素子６ｂ及び赤色ＬＥＤ素子６ｃを総称してＬＥＤ素子６という場合がある。
【００２２】
反射板３は本体１の下面であって、光源基板２の径方向外側部分に設けられている。反射板３はＬＥＤ素子６が出射した光を床面方向に向かって反射させ、その反射光が床面を照射する。これにより、床面全体の照度が得られる。
【００２３】
フレーム４は本体１の上下に延びる中心軸線を中心とする正多角形（例えば図１では正八角形）または略正多角形をなしている。このフレーム４の正八角形の各辺に、ＬＥＤ素子６の光の出射方向が径方向外側を向くように光源基板２が取り付けられている。ＬＥＤ素子６は本体１の中心に対して放射状に径方向外側に向かって光を出射し、その光が反射板３に反射される。
【００２４】
照明制御部５は電源回路（図３参照）等を含む制御基板（不図示）を有し、フレーム４の径方向内側に配置されている。照明制御部５は本体１の径方向中心部に設けられた図示しない電源コネクタに接続され、この電源コネクタを介して外部電源から電力の供給を受ける。そして、照明制御部５はその電力をＬＥＤ素子６に供給してＬＥＤ素子６を発光させる。
【００２５】
なお、説明の便宜上図示していないが、拡散レンズやカバーを設けてもよい。拡散レンズは光源基板２の発光面の前面に取り付けられ、ＬＥＤ素子６が出射する光を均一に拡散させる。カバーは本体１の外径と略同径の円形をなし、本体１の周縁部に嵌合して保持されて本体１の下面全域を覆っている。カバーはＬＥＤ素子６が出射する光をさらに拡散させるとともに、人がその光を直視することを回避している。
【００２６】
このようにして、照明装置１００はＬＥＤ素子６が直接床面を照射しないので、人が天井方向を向いて照明を直視した場合でもＬＥＤ素子６の光が人の目に直接差し込み難く、目の負担を抑えることができる。
【００２７】
図２は光源基板２の平面図を示している。光源基板２にはそれぞれ複数の白色ＬＥＤ素子６ａ、電球色ＬＥＤ素子６ｂ及び赤色ＬＥＤ素子６ｃが例えば略横一列に並べて配置されている。本実施形態では９個の白色ＬＥＤ素子６ａと４個の電球色ＬＥＤ素子６ｂと３個の赤色ＬＥＤ素子６ｃとが光源基板２に実装される。
【００２８】
ＬＥＤ素子６の配置や間隔等は反射板３への発光の均一性に影響を及ぼす。反射板３への発光が不均一になる場合、照度ムラなどが生じて照明装置１００の照明品質が低下することになる。特に、各ＬＥＤ素子６が異なる色で発光してその組み合わせで調色を行う場合、照度の不均一さが色ムラの原因となり照明装置１００の照明品質に大きく影響する。そのため、異なる色で発光する複数のＬＥＤ素子６を用いる場合、特にその配置や間隔が重要となる。
【００２９】
白色ＬＥＤ素子６ｃは白色光を発光する。電球色ＬＥＤ素子６ｂは電球色で発光する。より詳しくは電球色ＬＥＤ素子６ｂは国際照明委員会が定めるｘｙ色度図上の点（０．４４５，０．４０８）を中心とするマグアダム楕円５−ｓｔｅｐで表される等色範囲の属する色で発光する。赤色ＬＥＤ素子６ｃは赤色で発光する。より詳しくは赤色ＬＥＤ素子６ｃは波長の極大値が５７５ｎｍ〜７８０ｎｍである色で発光する。
【００３０】
ここで、電球色ＬＥＤ素子６ｂの色は上記のようにｘｙ色度図上の点（０．４４５，０．４０８）を中心とするマグアダム楕円５−ｓｔｅｐで表される等色範囲の属する色であってある程度のばらつきがある。また、赤色ＬＥＤ素子６ｃの色も上記のように波長の極大値が５７５ｎｍ〜７８０ｎｍであってある程度の範囲がある。
【００３１】
このため、図２に示したように複数の白色ＬＥＤ素子６ａ、複数の電球色ＬＥＤ素子６ｂ及び複数の赤色ＬＥＤ素子６ｃを光源基板２に実装して発色のばらつきを抑えることができる。尚、色の異なる複数のＬＥＤ素子を１つのＬＥＤ素子として構成してもよい。
【００３２】
続いて、照明装置１００の制御に係る詳細な構成について、図２に加えて図３及び図４を用いて説明する。図３は照明装置１の構成を示すブロック図、図４は照明装置１のＬＥＤ素子発光機構の構成を示す説明図である。
【００３３】
照明制御部５は、図３に示すように電源回路１０を備えている。電源回路１０は交流電源（ＡＣ入力、１００Ｖ）から電力の供給を受けて直流電圧に変換し、照明装置１００の各部に電力を供給する。なお、本実施形態において、電源回路１０は一例として制御電源供給回路１４及び光源基板２に電力を供給しているように示しているが、特にこれに限らず他の部位に対しても必要な電力が供給されるものとする。
【００３４】
照明制御部５は電源回路１０に加えて、ＣＰＵ（Central Processing Unit）１１と、メモリ１２と、ＰＷＭ（Pulse Width Modulation）制御回路１３と、制御電源供給回路１４と、入力部１５とを備えている。一例としてＣＰＵ１１、メモリ１２及びＰＷＭ制御回路１３はマイクロコンピュータによって構成される。
【００３５】
ＣＰＵ１１は各部と接続されるとともに、照明装置１００全体を制御するために必要な動作を指示する。ＣＰＵ１１はリモートコントローラ５０（図６参照）等のスイッチと無線または有線にて接続され、入力部１５にて当該スイッチの操作に応答した指示入力を受け付ける。
【００３６】
メモリ１２は照明装置１００を制御するための各種プログラム及び初期値等が格納されるとともに、ＣＰＵ１１のワーキングメモリとしても用いられる。ＰＷＭ制御回路１３はＣＰＵ１１からの指示に従ってＬＥＤ素子６を駆動するために必要なＰＷＭパルスを生成する。制御電源供給回路１４は電源回路１０から供給される電力の電圧をＣＰＵ１１に供給するために調整する。
【００３７】
光源基板２には前述のように白色ＬＥＤ素子６ａと電球色ＬＥＤ素子６ｂと赤色ＬＥＤ素子６ｃとの３種類のＬＥＤ素子６が配置されるとともに、各ＬＥＤ素子６を駆動するためのＦＥＴ（Field Effect Transistor）スイッチ２１、２２、２３が配置されている。
【００３８】
なお、説明の便宜上、図３には白色ＬＥＤ素子６ａと電球色ＬＥＤ素子６ｂと赤色ＬＥＤ素子６ｃとをそれぞれ１つずつ描画しているが、図２のように白色ＬＥＤ素子６ａと電球色ＬＥＤ素子６ｂと赤色ＬＥＤ素子６ｃはそれぞれ複数設けられる。また、ＦＥＴスイッチ２１、２２、２３はＰＷＭ制御回路１３にあってもよい。
【００３９】
次に、ＬＥＤ素子６の発光機構の詳細について説明する。ＣＰＵ１１はＰＷＭ制御回路１３に指示し、白色ＬＥＤ素子６ａと電球色ＬＥＤ素子６ｂと赤色ＬＥＤ素子６ｃとの少なくとも１種類を発光させるためのＰＷＭパルスＭ１、Ｍ２、Ｍ３を生成して出力する。
【００４０】
白色ＬＥＤ素子６ａ、電球色ＬＥＤ素子６ｂ及び赤色ＬＥＤ素子６ｃは電源回路１０から必要な電力の供給を受ける。白色ＬＥＤ素子６ａ、電球色ＬＥＤ素子６ｂ及び赤色ＬＥＤ素子６ｃと接地電圧ＧＮＤとの間にはＦＥＴスイッチ２１、２２、２３がそれぞれ設けられている。
【００４１】
ＰＷＭパルスＭ１、Ｍ２、Ｍ３に応答してＦＥＴ２１、２２、２３が導通、非導通となることにより白色ＬＥＤ素子６ａ、電球色ＬＥＤ素子６ｂ、赤色ＬＥＤ素子６ｃに電流が供給、遮断される。白色ＬＥＤ素子６ａ、電球色ＬＥＤ素子６ｂ、赤色ＬＥＤ素子６ｃに電流が供給されると、これらＬＥＤ素子６はそれぞれ発光する。尚、白色ＬＥＤ素子６ａ、電球色ＬＥＤ素子６ｂ、赤色ＬＥＤ素子６ｃを発光させる構成について説明したが、他のＬＥＤ素子がさらに複数個設けられている場合についても同様である。
【００４２】
ＣＰＵ１１は入力部１５で入力された操作信号に従ってプログラムを実行することで、照明を行うタイミングを判断する。例えば、図示しないスイッチが押下されたことで照明を行うタイミングを判断してもよい。また、図示しないタイマ等によって予め設定された時刻になったことや予め設定された時間が経過したことが検出された際に照明を行うタイミングを判断してもよい。
【００４３】
照明が指示されるとＣＰＵ１１は白色ＬＥＤ素子６ａ、電球色ＬＥＤ素子６ｂ、赤色ＬＥＤ素子６ｃが予め規定された強度で発光するようにＰＷＭ制御回路１３に指示する。ＰＷＭ制御回路１３はＣＰＵ１１の指示によりＰＷＭパルスＭ１、Ｍ２、Ｍ３を出力させ、所定の照明色に調色する。
【００４４】
照明装置１００の照明光のスペクトルは波長が４００ｎｍから８００ｎｍの面積に対して、６００ｎｍから７００ｎｍの面積が３０％以上７０％以下になっており、４００ｎｍから５００ｎｍの面積が２０％以下になっている。また、照明光のスペクトルの最大値は波長が６００ｎｍから７００ｎｍの範囲に含まれる。加えて、照明光の波長が５００ｎｍから６００ｎｍの範囲のスペクトルの最大値は、波長が６００ｎｍから７００ｎｍの範囲のスペクトルの最大値の７０％以下になっている。
【００４５】
上記のスペクトルを有する照明光を休憩時や団欒時に居室内に出射して照明を行うことにより、ユーザの快適性やリラックス感を向上することができる。また、業務や家事等の作業負荷によるユーザの作業時に疲労感を低減することができる。
【００４６】
本実施形態によると、スペクトルの４００ｎｍから８００ｎｍの面積に対して、６００ｎｍから７００ｎｍの面積が３０％以上７０％以下であるとともに、４００ｎｍから５００ｎｍの面積が２０％以下であり、照明光のスペクトルが６００ｎｍから７００ｎｍの間に最大値を有し、該最大値に対して５００ｎｍから６００ｎｍのスペクトルの最大値が７０％以下の照明光を出射する照明をＬＥＤ素子の発光によって行う。
【００４７】
このため、休憩時や団欒時にユーザの快適感やリラックス感を向上することができる。また、ユーザの業務や家事等の作業時の疲労感を低減することができる。また、一般的に蛍光灯は紫外線が漏洩する虞があり、白熱電球は赤外線を多く放射しているとされている。生体や室内設備などに対して、紫外線は化学的な悪影響を与え、赤外線は熱的な悪影響を与える可能性がある。しかし、紫外線や赤外線を殆ど含まないＬＥＤ素子６の発光により照明するため、人体に対して悪影響の少ない照明装置１００を提供することができる。
【００４８】
尚、上記の範囲に含まれた異なるスペクトルの複数の照明光を選択して出射できるようにしてもよい。これにより、ユーザの状態に応じて作業能率の向上や睡眠効率の向上を図ることができる。
【００４９】
また、異なる色で発色する白色ＬＥＤ素子６ａ、電球色ＬＥＤ素子６ｂ、赤色ＬＥＤ素子６ｃを有するので、上記範囲のスペクトルの照明光を容易に出射させることができる。
【００５０】
本実施形態において、他の発光色のＬＥＤ素子６によって照明色を調色してもよい。例えば、青色、緑色、赤色をそれぞれ発光する複数のＬＥＤ素子を設けてもよい。
【００５１】
また、ＬＥＤ素子とＬＥＤ素子の出射光を異なる波長に変換する蛍光体を設けてもよい。例えば、青色を発光する複数のＬＥＤ素子と、各ＬＥＤ素子に対応して青色をそれぞれ電球色、赤色、黄色に変換する蛍光体とを設けてもよい。青色光と黄色光により白色光が形成され、上記と同様に、白色、電球色及び赤色の光により照明色を調光することができる。
【００５２】
また、照明装置１００によって居室内に取り付けられる照明器具を構成しているが、照明器具に取り付けられる電球等を構成する照明装置であってもよい。
【００５３】
以下に本実施形態の照明装置１００の照明光による評価を行うために照明光の色を可変した実施例及び比較例について説明する。各実施例及び各比較例の照明光の仕様を表１に示す。
【００５４】
【表１】
0006001277.tif 000002
【実施例１】
【００５５】
図５は実施例１の照明装置１の照明光のスペクトルを示している。同図において縦軸は強度であり、横軸は波長（単位：ｎｍ）である。この照明光のスペクトルは波長が４００ｎｍから８００ｎｍの面積に対して、４００ｎｍから５００ｎｍの面積の比が３％、５００ｎｍから６００ｎｍの面積の比が１８％、６００ｎｍから７００ｎｍの面積の比が４２％、７００ｎｍから８００ｎｍの面積の比が３７％になっている。
【００５６】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の５０％になっている。
【実施例２】
【００５７】
図６は実施例２の照明装置１の照明光のスペクトルを示している。同図において縦軸は強度であり、横軸は波長（単位：ｎｍ）である。この照明光のスペクトルは波長が４００ｎｍから８００ｎｍの面積に対して、４００ｎｍから５００ｎｍの面積の比が７％、５００ｎｍから６００ｎｍの面積の比が２９％、６００ｎｍから７００ｎｍの面積の比が５７％、７００ｎｍから８００ｎｍの面積の比が７％になっている。
【００５８】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の２８％になっている。
【実施例３】
【００５９】
図７は実施例３の照明装置１の照明光のスペクトルを示している。同図において縦軸は強度であり、横軸は波長（単位：ｎｍ）である。この照明光のスペクトルは波長が４００ｎｍから８００ｎｍの面積に対して、４００ｎｍから５００ｎｍの面積の比が１８％、５００ｎｍから６００ｎｍの面積の比が４１％、６００ｎｍから７００ｎｍの面積の比が３５％、７００ｎｍから８００ｎｍの面積の比が６％になっている。
【００６０】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の４２％になっている。
【実施例４】
【００６１】
図８は実施例４の照明装置１の照明光のスペクトルを示している。同図において縦軸は強度であり、横軸は波長（単位：ｎｍ）である。この照明光のスペクトルは波長が４００ｎｍから８００ｎｍの面積に対して、４００ｎｍから５００ｎｍの面積の比が１９％、５００ｎｍから６００ｎｍの面積の比が４４％、６００ｎｍから７００ｎｍの面積の比が３１％、７００ｎｍから８００ｎｍの面積の比が６％になっている。
【００６２】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の６６％になっている。
【００６３】
［比較例１］
また、各実施例と比較する比較例１の照明装置１の照明光のスペクトルは波長が４００ｎｍから８００ｎｍの面積に対して、４００ｎｍから５００ｎｍの面積の比が１８％、５００ｎｍから６００ｎｍの面積の比が４０％、６００ｎｍから７００ｎｍの面積の比が２５％、７００ｎｍから８００ｎｍの面積の比が１７％になっている。
【００６４】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の６８％になっている。
【００６５】
［比較例２］
比較例２の照明装置１の照明光のスペクトルは波長が４００ｎｍから８００ｎｍの面積に対して、４００ｎｍから５００ｎｍの面積の比が４％、５００ｎｍから６００ｎｍの面積の比が１８％、６００ｎｍから７００ｎｍの面積の比が７５％、７００ｎｍから８００ｎｍの面積の比が３％になっている。
【００６６】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の２４％になっている。
【００６７】
［比較例３］
比較例３の照明装置１の照明光のスペクトルは波長が４００ｎｍから８００ｎｍの面積に対して、４００ｎｍから５００ｎｍの面積の比が３％、５００ｎｍから６００ｎｍの面積の比が１３％、６００ｎｍから７００ｎｍの面積の比が５０％、７００ｎｍから８００ｎｍの面積の比が３４％になっている。
【００６８】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の１６％になっている。
【００６９】
［比較例４］
比較例４の照明装置１の照明光のスペクトルは波長が４００ｎｍから８００ｎｍの面積に対して、４００ｎｍから５００ｎｍの面積の比が４％、５００ｎｍから６００ｎｍの面積の比が４７％、６００ｎｍから７００ｎｍの面積の比が４８％、７００ｎｍから８００ｎｍの面積の比が１％になっている。
【００７０】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の６５％になっている。
【００７１】
［比較例５］
比較例５の照明装置１の照明光のスペクトルは波長が４００ｎｍから８００ｎｍの面積に対して、４００ｎｍから５００ｎｍの面積の比が２２％、５００ｎｍから６００ｎｍの面積の比が２０％、６００ｎｍから７００ｎｍの面積の比が５６％、７００ｎｍから８００ｎｍの面積の比が２％になっている。
【００７２】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の６０％になっている。
【００７３】
［比較例６］
比較例６の照明装置１の照明光のスペクトルは波長が４００ｎｍから８００ｎｍの面積に対して、４００ｎｍから５００ｎｍの面積の比が１８％、５００ｎｍから６００ｎｍの面積の比が１２％、６００ｎｍから７００ｎｍの面積の比が３１％、７００ｎｍから８００ｎｍの面積の比が３９％になっている。
【００７４】
スペクトルの最大値は波長が７００ｎｍから８００ｎｍの範囲に含まれる。また、波長が５００ｎｍから６００ｎｍの範囲のスペクトルの最大値は６００ｎｍから７００ｎｍの範囲のスペクトルの最大値の４５％になっている。
【００７５】
［比較例７］
比較例７の照明装置１の照明光のスペクトルは波長が４００ｎｍから８００ｎｍの面積に対して、４００ｎｍから５００ｎｍの面積の比が１７％、５００ｎｍから６００ｎｍの面積の比が４０％、６００ｎｍから７００ｎｍの面積の比が３４％、７００ｎｍから８００ｎｍの面積の比が９％になっている。
【００７６】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の７５％になっている。
【００７７】
［比較例８］
比較例８の照明装置１の照明光は電球色であり、照明光のスペクトルは波長が４００ｎｍから８００ｎｍの面積に対して、４００ｎｍから５００ｎｍの面積の比が１３％、５００ｎｍから６００ｎｍの面積の比が４２％、６００ｎｍから７００ｎｍの面積の比が４１％、７００ｎｍから８００ｎｍの面積の比が４％になっている。
【００７８】
スペクトルの最大値は波長が６００ｎｍから７００ｎｍの範囲に含まれる。また、波長が５００ｎｍから６００ｎｍの範囲のスペクトルの最大値は６００ｎｍから７００ｎｍの範囲のスペクトルの最大値の９８％になっている。
【００７９】
尚、「昼白色」及び「電球色」はＪＩＳ規格（ＪＩＳ  Ｚ  ８１１０）で規定される光源色に相当する。
【００８０】
上記各実施例及び各比較例に対して昼白色の照明光と比較する以下の実験を行った。昼白色のスペクトルは波長が４００ｎｍから８００ｎｍの面積に対して、４００ｎｍから５００ｎｍの面積の比が２４％、５００ｎｍから６００ｎｍの面積の比が４７％、６００ｎｍから７００ｎｍの面積の比が２４％、７００ｎｍから８００ｎｍの面積の比が５％になっている。
【００８１】
昼白色のスペクトルの最大値は波長が４００ｎｍから５００ｎｍの範囲に含まれる。また、波長が５００ｎｍから６００ｎｍの範囲のスペクトルの最大値は６００ｎｍから７００ｎｍの範囲のスペクトルの最大値の１２５％になっている。
【００８２】
被験者は健常人である２０歳以上６５歳以下の男性１６名及び女性１６名の計３２名を選定した。第１の実験は夕方から翌日の朝にかけて１室ごとに被験者を待機させてすべての被験者の環境状態を同じとし、就寝前１時間から就寝時まで上記各照明光を照射して行った。照明光の照度は枕位置で３５Ｗ相当（約４５ｌｘ）とした。そして、同様に昼白色（相関色温度５０００Ｋ）を３５Ｗ相当（約８５ｌｘ）で照射した場合と比較した。
【００８３】
第２の実験は昼間に１室ごとに被験者を待機させてすべての被験者の環境状態を同じとし、作業時間の３０分間各照明光を照射して行った。照明光の照度は作業を行う机上で１００Ｗ相当（約６００ｌｘ）とした。そして、同様に昼白色を１００Ｗ相当で照射した場合の評価と比較した。
【００８４】
作業負荷には株式会社日本・精神技術研究所の「内田クレペリン検査（登録商標）」を用いた。検査内容は簡単な一桁の足し算を１分毎に行変えをしながら合計３０分間行う計算作業負荷である。
【００８５】
【表２】
0006001277.tif 000003
【００８６】
表２は第１、第２の実験による評価項目を示している。第１の実験では就寝前及び睡眠時の主観評価、睡眠状況の計測による評価を行った（評価項目１〜２２）。第２の実験では自律神経系、作業能率、疲労度を評価した（評価項目２３〜２５）。
【００８７】
就寝前の主観評価は感覚・感状の強度を評価する際に用いられるＶＡＳ(Visual Analogue Scale)を用いた。この評価手法は一端が最悪の感覚、他端が最良の感覚を表す一本の直線上に、被験者がその時感じた質問項目に関しての感覚・感情の強さに適応した点にしるしを付け、そのしるしの位置から一端までの長さを計測することで、主観的感覚を数値化して点数評価するものである。
【００８８】
質問項目は、「快適感（評価項目１）」、「意欲（評価項目２）」、「疲労感（評価項目３）」、「眠気（評価項目４）」、「充実感（評価項目５）」、「リラックス感（評価項目６）」、「イライラ感（評価項目７）」、「ぬくもり感（評価項目８）」の８項目とした。
【００８９】
睡眠時の主観評価はセントマリー病院睡眠質問票と呼ばれる直前の２４時間の睡眠について評価する自己式質問票を用いた。質問項目は、「主観的睡眠深さ（評価項目９）」、「目を覚ました回数（評価項目１０）」、「よく眠れたか（評価項目１１）」、「起床時頭がすっきりしていたか（評価項目１２）」、「睡眠満足感（評価項目１３）」、「早朝覚醒したか（評価項目１４）」、「寝付きの状況（評価項目１５）」の７項目とした。
【００９０】
睡眠状態の計測にはパラマウントベッド株式会社製の睡眠測定システム「眠りＳＣＡＮ（登録商標）」を用いた。睡眠測定システムをベッドの下に敷いて就寝中の各被験者の活動量を測定した。そして、取得した活動量により各被験者の平均活動量（評価項目１６）、入眠潜時（評価項目１７）、睡眠効率（評価項目１８）、覚醒回数（評価項目１９）、離床回数（評価項目２０）、総睡眠時間（評価項目２１）、中途覚醒時間（評価項目２２）を算出した。
【００９１】
自律神経系の評価（評価項目２３）には株式会社ユメディカ製の加速度脈波計測システム「アルテットＣ（登録商標）」を用いた。加速度脈波計測システムにより作業中及びその前後の加速度脈波を計測し、その時間変化のデータの周波数解析を行う。これにより、自律神経機能の指標であるＬＦ、ＨＦ、ＬＦ／ＨＦを算出し、自律神経系の状態を評価した。
【００９２】
作業能率（評価項目２４）は上記の３０分間の作業負荷による計算量を計数した。疲労度（評価項目２５）は採血によってサンプル採取した血液中のＴＧＦ−ｂｅｔａを計測する血液検査を行って評価した。
【００９３】
表３は各実施例及び各比較例の第１、第２の実験による結果を示している。結果の評価としては被験者全員の結果を統計学的に解析し、各照明光と昼白色との有意差検定を実施した。検定手法としてｔ検定を用い、有意水準を５％として向上の有意差がある場合を「○」で示した。有意確率１０％未満については向上の傾向があると評価し、「△」で示した。向上の有意差及び傾向がない場合を「×」で示した。
【００９４】
【表３】
0006001277.tif 000004
【００９５】
第１の実験及び第２の実験の結果によると、実施例１〜４の照明光は昼白色と比較して就寝前の主観評価や作業時の評価において有用な結果が得られている。即ち、休憩時等のユーザに快適感やリラックス感を与えることができるとともに、作業時の疲労等を低減することができる。
【００９６】
また、実施例１、２については睡眠に関する項目が向上または向上傾向にあり、睡眠効率等を向上することができる。更に、実施例１、実施例３、実施例４については作業能率が向上または向上傾向にある。
【００９７】
これに対して、比較例１は波長が４００ｎｍから８００ｎｍの面積に対して、６００ｎｍから７００ｎｍの面積の比が３０％よりも小さいスペクトルを有し、昼白色と比較して有意な差及び傾向は見られなかった。比較例２は波長が４００ｎｍから８００ｎｍの面積に対して、６００ｎｍから７００ｎｍの面積の比が７０％よりも大きいスペクトルを有し、昼白色と比較して有意な差及び傾向は見られなかった。
【００９８】
比較例３は波長が４００ｎｍから８００ｎｍの面積に対して、５００ｎｍから６００ｎｍの面積の比が１５％よりも小さいスペクトルを有し、昼白色と比較して有意な差及び傾向は見られなかった。比較例４は波長が４００ｎｍから８００ｎｍの面積に対して、５００ｎｍから６００ｎｍの面積の比が４５％よりも大きいスペクトルを有し、昼白色と比較して有意な差及び傾向は見られなかった。
【００９９】
比較例５は波長が４００ｎｍから８００ｎｍの面積に対して、４００ｎｍから５００ｎｍの面積の比が１０％よりも大きいスペクトルを有し、昼白色と比較して有意な差及び傾向は見られなかった。比較例６はスペクトルの最大値が７００ｎｍから８００ｎｍの範囲に含まれ、昼白色と比較して有意な差及び傾向は見られなかった。
【０１００】
比較例７及び比較例８は６００ｎｍから７００ｎｍの範囲内のスペクトルの最大値に対する５００ｎｍから６００ｎｍの範囲内のスペクトルの最大値の比率が７０％より大きい。比較例７は昼白色と比較して有意な差及び傾向は見られなかった。また、電球色の比較例８は昼白色に比して主観（ぬくもり感）について有意差がみられたが、その他の評価項目については有意な差及び傾向は見られなかった。
【産業上の利用可能性】
【０１０１】
本発明によると、居室内を照明する照明器具や電球等の照明装置に利用することができる。
【符号の説明】
【０１０２】
１    本体
２    光源基板
３    反射板
４    フレーム
５    照明制御部
６ａ  白色ＬＥＤ素子
６ｂ  電球色ＬＥＤ素子
６ｃ  赤色ＬＥＤ素子
１００    照明装置
【図１】
0006001277.tif 000005
【図２】
0006001277.tif 000006
【図３】
0006001277.tif 000007
【図４】
0006001277.tif 000008
【図５】
0006001277.tif 000009
【図６】
0006001277.tif 000010
【図７】
0006001277.tif 000011
【図８】
0006001277.tif 000012